(57)【要約】【課題】入力操作が非常に便利であるキー装置を提案する。【解決手段】キー装置上に一つの切替スイッチを設け、その切替スイッチによってキー装置と接続する電子装置のメインキーボードにあるナムロック(Number Lock)の同時モードもしくは非同時モードを切替え、同時モードにおいてキー装置を使用する場合は、メインキーボードのナムロック(Number Lock)状態の影響を受け、また、非同時モードにおいてキー装置を使用する場合は、メインキーボードのナムロック(Number Lock)状態に影響されず、使用者は自由に同時モードまたは非同時モードを選択可能であることを特徴とする。【選択図】  図１
0003130596.tif 000002
【実用新案登録請求の範囲】
【請求項１】
キー装置上に一つの切替スイッチを設け、その切替スイッチによってキー装置と接続する電子装置のメインキーボードにあるナムロック(Number Lock)の同時モードもしくは非同時モードを切替えることを特徴とするキー装置。
【請求項２】
同時モードにおいてキー装置を使用する場合は、メインキーボードのナムロック(Number Lock)状態の影響を受けることを特徴とする請求項１記載のキー装置。
【請求項３】
非同時モードにおいてキー装置を使用する場合は、メインキーボードのナムロック(Number Lock)状態に影響されないことを特徴とする請求項１記載のキー装置。
【請求項４】
キー装置は、ＵＳＢインタフェースによって電子装置と相互接続していることを特徴とする請求項１記載のキー装置。
【請求項５】
キー装置は、無線伝送インタフェースによって電子装置と相互接続していることを特徴とする請求項１記載のキー装置。
【請求項６】
切替スイッチは直接、キー装置上のナムロック(Number Lock)とすることを特徴とする請求項１記載のキー装置。
【考案の詳細な説明】
【技術分野】
【０００１】
本考案は、キー装置に関するものであり、特に電子装置に応用可能であり、ノートブックパソコンの如き電子装置上のメインキーボードの補助キーボードとすることを特徴とする。
【背景技術】
【０００２】
現在、世界におけるハイテクノロジー、電子技術は、正に予測がつかない程の急速発展を遂げており、よって、日夜発展するパーソナルコンピュータ業界においては、新しい形式の携帯に便利なキャリー式電子装置が次々に生み出されている。小型化、多機能及び操作簡便なノートブックパソコンは、その内でも非常に特色を持つ商品であり、その軽薄精巧な特徴により、現在多くの科学技術電子製品の中でも更に独占的な位置を占めている。
【考案の開示】
【考案が解決しようとする課題】
【０００３】
しかしながら、ノートブックパソコン上のキーボードは、小体積、精巧性等の要素に制限を受けて、そのキーボード上の数字キーコードの配置及び設計は、伝統的なキーボードにおける数字キーコードの配置及び設計と若干異なり、よって、使用者が実際にキーボード操作をする場合、文字コードを数字コードに変換するなどの面倒が発生する。例えば、文書編集を例に取ると、文字コードを数字コードに変換しなければならない場合、変換する為の時間がかなりかかる、又は変換を忘れてしまい、未変換の文字もしくは数字を先ず削除してから変換キーを押して必要な文字もしくは数字を入力しなければならず、使用者の非常な不便性を引き起こし、このように変換作業を繰り返すことは、使用上非常に理想的でない。
【課題を解決するための手段】
【０００４】
上記課題を解決するために、本考案のキー装置の主な目的は、キー装置上に一つの切替スイッチを設け、その切替スイッチによってキー装置と接続する電子装置のメインキーボードにあるナムロック(Number Lock)の同時モードもしくは非同時モードを切替え、同時モードにおいてキー装置を使用する場合は、メインキーボードのナムロック(Number Lock)状態の影響を受け、また、非同時モードにおいてキー装置を使用する場合は、メインキーボードのナムロック(Number Lock)状態に影響されず、使用者は自由に同時モードまたは非同時モードを選択可能であることを特徴とするキー装置を提案することにある。
【考案の効果】
【０００５】
以上説明したように、本考案のキー装置は、切替スイッチによってキー装置と接続する電子装置のメインキーボードにあるナムロック(Number Lock)の同時モードもしくは非同時モードを切替え、使用者は自由に同時モードまたは非同時モードを選択可能である故、入力操作は非常に便利、使用上非常に理想的なキー装置であることを特徴とする。
【考案を実施するための最良の形態】
【０００６】
本考案のキー装置1は、ノートブックパソコン2に接続し、図１に示すとおり、ノートブックパソコンのメインキーボード21の補助、拡張として使用、もしくは一般キーボードとしても使用できる。
【０００７】
一般のキー装置1を使用する場合は、ノートブックパソコン21上のナムロック(Number Lock)状態に影響され、つまりオンとオフ状態のような制限を受け、キー装置が同時モードである場合、使用者はキー装置使用において制限を受け、非同時モードのキー装置を使用する場合は、メインキーボードのナムロック(Number Lock)状態に影響されることはなく、ノートブックパソコンのメインキーボード上のナムロック(Number Lock)がオンもしくはオフ状態に関わらず、キー装置のナムロック(Number
Lock)に連動影響されることはなく、且つ、そのキー装置はモードによって、ノートブックパソコン上にキー装置のキーコードの作動インフォメーションを発生させる。
【０００８】
本考案は、キー装置1が同時に同時モードもしくは非同時モードのプログラムを起こし、図２に示すとおり、一つの切替スイッチ11によって、キー装置に接続した電子装置のメインキーボードにあるナムロック(Number
Lock)の同時モードもしくは非同時モードを切替えることができ、使用者が同時モードもしくは非同時モードを自由に選択できるキー装置1を提供して、キー装置の実用性を高める。また、切替スイッチ11はキー装置上のナムロック(Number Lock)12とすることもできる。図３に示すとおり、ナムロック(Number
Lock)12を用いて、同様にキー装置に接続した電子装置のメインキーボードにあるナムロック(Number
Lock)の同時モードもしくは非同時モードを切替えることができる。
【０００９】
図１に示すとおり、キー装置1は、ＵＳＢインタフェース3によってノートブックパソコン2のような電子装置と相互接続しており、また、図４に示すとおり、その無線伝送インタフェースは、少なくともキー装置1とノートブックパソコン2中への伝送/受信モジュール４を含み、キー装置1とノートブックパソコン2間のキーコードの作動インフォメーションを送信する。
【図面の簡単な説明】
【００１０】
【図１】本考案に関するキー装置と電子装置が相互接続している構造立体図である。
【図２】本考案に関するキー装置の構造見取図である。
【図３】本考案に関するキー装置のもう一つの構造見取図である。
【図４】本考案に関するキー装置と電子装置が相互接続しているもう一つの構造立体図である。
【符号の説明】
【００１１】
１      キー装置
１１    切替スイッチ
１２    ナムロック(Number
Lock)
２      ノートブックパソコン
２１    メインキーボード
３      ＵＳＢインタフェース
４      伝送/受信モジュール
【図１】
0003130596.tif 000003
【図２】
0003130596.tif 000004
【図３】
0003130596.tif 000005
【図４】
0003130596.tif 000006
【手続補正書】
【提出日】平成19年1月25日(2007.1.25)
【手続補正１】
【補正対象書類名】実用新案登録請求の範囲
【補正対象項目名】請求項６
【補正方法】変更
【補正の内容】
【請求項６】
切替スイッチは、キー装置上のナムロック(Number Lock)であることを特徴とする請求項１記載のキー装置。